(57)【要約】【課題】施工現場で内部の空間構成を容易に変更でき、無駄なく複数連結可能なユニットルーム及びユニットルーム連結体を提供する。【解決手段】複数の柱１１，…，１１と複数の梁１２，…，１２と複数の大引き１３，…，１３とを有するフレーム１０と、複数の壁パネル２０，…，２０と、複数の床パネル３０，…，３０とを備え、内部に少なくとも１つの個室空間が区画されたユニットルーム２において、各壁パネル２０を隣接する２本の柱１１，１１の間において真壁となるように設ける。【選択図】図２
2020165227.tif 000002
【特許請求の範囲】
【請求項１】
内部に少なくとも１つの個室空間を形成するユニットルームであって、
縦方向及び横方向に３本以上ずつ行列状に立設された複数の木製の柱と、該複数の柱の上端部を連結する複数の木製の梁と、上記複数の柱の下端部を連結する複数の木製の大引きとを有するフレームと、
隣接する２本の上記柱の間に形成される矩形状の開口部を閉塞する複数の壁パネルと、
隣接する２本の上記大引きの間を閉塞する複数の床パネルとを備え、
上記フレームと上記複数の壁パネルと上記複数の床パネルとで箱状に形成され、
上記各壁パネルは、隣接する上記２本の柱の間において真壁を構成するように、上記各柱の幅よりも薄く形成されている
ことを特徴とするユニットルーム。
【請求項２】
請求項１において、
上記梁及び上記大引きは、柱勝ちとなるように上記柱に接合されている
ことを特徴とするユニットルーム。
【請求項３】
請求項１又は２において、
上記壁パネルは、
矩形状の枠材と、該枠材において対向する一対の部材を連結する少なくとも１つの桟部材とを有する支持部材と、
上記支持部材の一方側と他方側の側面に固定された第１及び第２側板とを備え、
上記支持部材は、上記枠材が上記開口部の周囲の枠状部材の内側面に当接し、該枠材の内側から上記枠状部材に向かって打ち込まれた締結具により、上記枠状部材の内側面に固定されている
ことを特徴とするユニットルーム。
【請求項４】
請求項１乃至３のいずれか１つにおいて、
上記複数の柱のうちの３行２列に並ぶ６本の上記柱の上下方向の中程を矩形状に連結する６本の中段梁と、
上記６本の中段梁の内側面に固定された平面視矩形状の上段寝台と、
上記６本の中段梁の下方に設けられた上記６本の柱の下端部を矩形状に連結する６本の上記大引きの内側面に固定された平面視矩形状の下段寝台とを備えている
ことを特徴とするユニットルーム。
【請求項５】
請求項４において、
上記複数の壁パネルは、
上記上段寝台及び上記下段寝台の側方に互いに隔てられた第１室と第２室が区画され、
上記上段寝台の上方に、上記第１室と上記第２室のうちの上記第１室のみに繋がる上段寝室が区画され、
上記上段寝台と上記下段寝台との間に、上記第１室と上記第２室のうちの上記第２室のみに繋がる下段寝室が区画されるように設けられている
ことを特徴とするユニットルーム。
【請求項６】
請求項５において、
上記フレームの上記複数の柱は、３行３列の行列状に立設され、
上記第１室と上記第２室は、上記上段寝台及び上記下段寝台の幅方向の一方側に区画され、上記壁パネルによって互いに隔てられている
ことを特徴とするユニットルーム。
【請求項７】
請求項５において、
上記フレームの上記複数の柱は、３行４列の行列状に立設され、
上記第１室と上記第２室は、上記上段寝台及び上記下段寝台の幅方向の一方側と他方側とに区画されている
ことを特徴とするユニットルーム。
【請求項８】
内部に少なくとも１つの個室空間が区画される複数のユニットルームが連結されたユニットルーム連結体であって、
上記ユニットルームは、請求項１乃至７のいずれか１つに記載のユニットルームであり、
互いに隣接する２つの上記ユニットルームは、隣接部分に設けられる上記フレームと上記壁パネルとを共有するように連結されている
ことを特徴とするユニットルーム連結体。
【発明の詳細な説明】
【技術分野】
【０００１】
本発明は、ユニットルーム及び複数のユニットルームを連結したユニットルーム連結体に関するものである。
【背景技術】
【０００２】
従来、宿泊施設で用いられるカプセルベッドの代わりに、居室空間と寝室空間を有するユニットルームを用いることが提案されている（例えば、下記の特許文献１を参照）。
【０００３】
上記ユニットルームは、複数のパネルで３畳程度の箱状に形成されている。また、上記ユニットルームでは、両側に１畳分程の居室が形成されるように、内部空間の中央に二段ベッドが設置されている。上段ベッドは一方側の居室に繋がり、下段ベッドは他方側の居室に繋がるように、上段ベッドの他方側と下段ベッドの一方側とに間仕切りパネルが設置されている。このような構成により、上記ユニットルームの内部には、それぞれ居室と寝室とを有する２つの個室空間が形成されている。
【先行技術文献】
【特許文献】
【０００４】
【特許文献１】特開２００４−３１６２１８号公報
【発明の概要】
【発明が解決しようとする課題】
【０００５】
しかしながら、上記ユニットルームは、カプセルベッドのように複数並べることで大人数を収容可能な宿泊施設として利用することができるが、上記ユニットルームを複数並べるだけでは、互いに隣接する２つのユニットルームの間が両ユニットの壁で２重に仕切られることとなり、構造的にもスペース的にも無駄が多かった。また、上記ユニットルームを複数並べる構成では、同形状の個室空間対が複数形成されるだけで、施工現場で内部の空間構成を変更することができなかった。
【０００６】
本発明は、かかる点に鑑みてなされたものであり、その目的は、施工現場で内部の空間構成を容易に変更でき、無駄なく複数連結可能なユニットルーム及びそれを複数連結したコンパクトなユニットルーム連結体を提供することにある。
【課題を解決するための手段】
【０００７】
上記の目的を達成するために、この発明では、木製部材を軸組工法で組み立てたフレームに壁パネルと床パネルを取り付けることによってユニットルームを構成すると共に、各壁パネルを隣接する２本の柱の間において真壁となるように構成することとした。
【０００８】
具体的には、第１の発明のユニットルームは、内部に少なくとも１つの個室空間を形成するユニットルームであって、縦方向及び横方向に３本以上ずつ行列状に立設された複数の木製の柱と、該複数の柱の上端部を連結する複数の木製の梁と、上記複数の柱の下端部を連結する複数の木製の大引きとを有するフレームと、隣接する２本の上記柱の間に形成される矩形状の開口部を閉塞する複数の壁パネルと、隣接する２本の上記大引きの間を閉塞する複数の床パネルとを備え、上記フレームと上記複数の壁パネルと上記複数の床パネルとで箱状に形成され、上記各壁パネルは、隣接する上記２本の柱の間において真壁を構成するように、上記各柱の幅よりも薄く形成されていることを特徴とする。
【０００９】
第１の発明では、縦方向及び横方向に３本以上ずつ行列状に立設した複数の木製の柱と、該複数の柱を連結する複数の木製の梁及び大引きとで構成されたフレームと、複数の壁パネルと、複数の床パネルとにより、内部に少なくとも１つの個室空間を形成する箱状のユニットルームを形成することとしている。このようにユニットルームを、木製部材を軸組工法で組み立てたフレームに壁パネルと床パネルを取り付けた構成とすることにより、施工現場で壁パネルの位置を変更する等してユニットルームの内部の空間構成を容易に変更することができる。また、木製部材でフレームを構成することにより、設置スペースに合わせて容易に個室空間の寸法を変更することができる。
【００１０】
また、第１の発明では、各壁パネルを隣接する２本の柱の間において真壁を構成するように各柱の幅よりも薄く形成することとした。このような構成によれば、ユニットルームを容易に増設することができる。また、上記構成によれば、複数のユニットルームを並べる際には、隣接する２つのユニットルーム間で隣接部分に設けられるフレームと壁パネルとを共有させながら構造的にもスペース的にも無駄なく連結することができる。
【００１１】
以上により、第１の発明によれば、施工現場で内部の空間構成を容易に変更でき、無駄なく複数連結可能なユニットルームを提供することができる。
【００１２】
第２の発明は、第１の発明において、上記梁及び上記大引きは、柱勝ちとなるように上記柱に接合されていることを特徴とする。
【００１３】
第２の発明では、ユニットルームのフレームを柱勝ちとなるように構成することとしている。このような構成により、複数のユニットルームを連結する際に、柱に梁及び大引きを接合すればよく、施工が容易になる。
【００１４】
第３の発明は、第１又は第２の発明において、上記壁パネルは、矩形状の枠材と、該枠材において対向する一対の部材を連結する少なくとも１つの桟部材とを有する支持部材と、上記支持部材の一方側と他方側の側面に固定された第１及び第２側板とを備え、上記支持部材は、上記枠材が上記開口部の周囲の枠状部材の内側面に当接し、該枠材の内側から上記枠状部材に向かって打ち込まれた締結具により、上記枠状部材の内側面に固定されていることを特徴とする。
【００１５】
第３の発明では、壁パネルを、支持部材とその両側面に固定された第１及び第２側板とを備えた所謂フラッシュ構造に構成している。そのため、壁パネルを隣接する２本の柱の間において真壁を構成するように容易に施工することができる。
【００１６】
第４の発明は、第１乃至第３のいずれか１つの発明において、上記複数の柱のうちの３行２列に並ぶ６本の上記柱の上下方向の中程を矩形状に連結する６本の中段梁と、上記６本の中段梁の内側面に固定された平面視矩形状の上段寝台と、上記６本の中段梁の下方に設けられた上記６本の柱の下端部を矩形状に連結する６本の上記大引きの内側面に固定された平面視矩形状の下段寝台とを備えていることを特徴とする。
【００１７】
第４の発明では、ユニットルームのフレームを構成する複数の柱のうちの６本の柱を用いて、ユニットルームの内部に上段寝台と下段寝台とを備えた二段ベッドが形成されている。このようにフレームを構成する柱を用いて二段ベッドを内部に形成することにより、ユニットルーム内に寝室をコンパクトに且つ容易に形成することができる。また、上記構成によれば、ユニットルーム内における二段ベッドの設置位置を変更することにより、ユニットルームの内部の空間構成を容易に変更することができる。
【００１８】
第５の発明は、第４の発明において、上記複数の壁パネルは、上記上段寝台及び上記下段寝台の側方に互いに隔てられた第１室と第２室が区画され、上記上段寝台の上方に、上記第１室と上記第２室のうちの上記第１室のみに繋がる上段寝室が区画され、上記上段寝台と上記下段寝台との間に、上記第１室と上記第２室のうちの上記第２室のみに繋がる下段寝室が区画されるように設けられていることを特徴とする。
【００１９】
第５の発明では、複数の壁パネルと二段ベッドにより、ユニットルームの内部に、第１室と上段寝室とからなる個室空間と、第２室と下段寝室とからなる個室空間とが形成されている。このように内部に二段ベッドと複数の壁パネルを設けるだけで、ユニットルームの内部に容易に居室と寝室とからなる２つの個室空間を形成することができる。
【００２０】
第６の発明は、第５の発明において、上記フレームの上記複数の柱は、３行３列の行列状に立設され、上記第１室と上記第２室は、上記上段寝台及び上記下段寝台の幅方向の一方側に区画され、上記壁パネルによって互いに隔てられていることを特徴とする。
【００２１】
第６の発明では、３行３列の行列状に立設された９本の柱を有するフレームを備えたユニットルームの内部の半分の領域に二段ベッドを設置し、残りの半分の領域が互いに隔てられた第１室及び第２室に区画されている。上記構成によれば、寝室だけでなく居室を有する快適な２つの個室空間をコンパクトに形成することができる。
【００２２】
第７の発明は、第５の発明において、上記フレームの上記複数の柱は、３行４列の行列状に立設され、上記第１室と上記第２室は、上記上段寝台及び上記下段寝台の幅方向の一方側と他方側とに区画されていることを特徴とする。
【００２３】
第７の発明では、３行４列の行列状に立設された１２本の柱を有するフレームを備えたユニットルームの内部の中央の領域に二段ベッドを設置し、二段ベッドの幅方向の両側に、上段寝室と下段寝室のそれぞれに繋がる居室（第１室と第２室）が区画されている。上記構成によれば、寝室だけでなく居室を有する快適な２つの個室空間をコンパクトに形成することができる。また、二段ベッドの両側に２つの個室空間の居室を配置することにより、２つの個室空間の出入口を離して設けることができる。そのため、二段ベッドを利用する人どうしのプライバシーを確保することができる。
【００２４】
第８の発明は、内部に少なくとも１つの個室空間が区画される複数のユニットルームが連結されたユニットルーム連結体であって、上記ユニットルームは、第１乃至第７のいずれか１つの発明に係るユニットルームであり、互いに隣接する２つの上記ユニットルームは、隣接部分に設けられる上記フレームと上記壁パネルとを共有するように連結されていることを特徴とする。
【００２５】
第８の発明では、ユニットルーム連結体は、複数のユニットルームを、隣接する２つのユニットルーム間で隣接部分に設けられるフレームと壁パネルとを共有させながら連結することによって構成されている。ユニットルーム連結体は、木製部材を軸組工法で組み立てたフレームに壁パネルと床パネルを取り付けたユニットルームを複数連結することによって構成されているため、壁パネルの位置を変更する等して施工現場で容易に内部の空間構成を変更することができる。また、上記構成によれば、各ユニットルームにおいて、各壁パネルが隣接する２本の柱の間において真壁となるように設けられているため、複数のユニットルームを隣接部分のフレームと壁パネルとを共有させながら無駄なく連結してコンパクトにユニットルーム連結体を構成することができる。
【発明の効果】
【００２６】
以上説明したように、本発明のユニットルームによると、木製部材を軸組工法で組み立てたフレームに壁パネルと床パネルを取り付けることによってユニットルームを構成すると共に、各壁パネルを隣接する２本の柱の間において真壁となるように構成することとしたため、施工現場で内部の空間構成を容易に変更でき、無駄なく複数連結可能なユニットルーム及びそれを複数連結したコンパクトなユニットルーム連結体を提供することができる。
【図面の簡単な説明】
【００２７】
【図１】図１は、本発明の実施形態１に係るユニットルーム連結体の天井パネルを除いて示す斜視図である。
【図２】図２は、本発明の実施形態１に係るユニットルームＡの斜視図である。
【図３】図３は、本発明の実施形態１に係るユニットルームＡのフレームの斜視図である。
【図４】図４は、本発明の実施形態１に係るユニットルームＢの斜視図である。
【図５】図５は、本発明の実施形態１に係るユニットルームＢのフレームの斜視図である。
【図６】図６は、ユニットルーム連結体の床パネルの納まりを示す拡大断面図である。
【図７】図７は、ユニットルーム連結体の柱と梁との接合構造を示す分解斜視図である。
【図８】図８は、ユニットルーム連結体の壁パネル部分の断面図である。
【図９】図９は、ユニットルーム連結体の壁パネルの支持部材の側面図である。
【図１０】図１０は、ユニットルーム連結体の上段寝台部分の断面図である。
【図１１】図１１は、ユニットルーム連結体の上段寝台の支持部材の平面図である。
【図１２】図１２は、ユニットルーム連結体の下段寝台の納まりを示す拡大断面図である。
【図１３】図１３は、ユニットルーム連結体の施工に際し、フレーム連結体が施工された状態を示す斜視図である。
【図１４】図１４は、ユニットルーム連結体の施工に際し、フレーム連結体の施工後、床パネル、下段寝台及び上段寝台が施工された状態を示す斜視図である。
【図１５】図１５は、ユニットルーム連結体の施工に際し、フレーム連結体、床パネル、下段寝台及び上段寝台の施工後、壁パネルが施工された状態を示す斜視図である。
【発明を実施するための形態】
【００２８】
以下、本発明の実施形態を図面に基づいて詳細に説明する。以下の実施形態は、本質的に好ましい例示に過ぎず、本発明、その適用物、あるいはその用途の範囲を制限することを意図するものではない。
【００２９】
《発明の実施形態１》
図１は、本発明の実施形態１に係るユニットルーム連結体１を示す。このユニットルーム連結体１は、例えば、カプセルホテル等の宿泊施設や災害時に避難所として用いられる体育館等の建物内における空間の床面に設置され、内部に少なくとも１つの個室空間を形成する複数のユニットルーム２，…，２を連結することにより、内部に複数の個室空間を形成するものである。なお、以下では、本発明に係るユニットルーム連結体の一例として、内部に２つの個室空間を形成する２種類のユニットルーム２Ａ，２Ｂが複数連結されたユニットルーム連結体１について説明する。
【００３０】
−構成−
図１に示すように、ユニットルーム連結体１は、４つのユニットルーム２で構成されている。４つのユニットルーム２は、２つの第１ユニットルーム２Ａ，２Ａと、２つの第２ユニットルーム２Ｂ，２Ｂとで構成されている。４つのユニットルーム２Ａ，２Ａ，２Ｂ，２Ｂは、各２つの個室空間の出入口Ｅ１，Ｅ２が一直線上に延びる同じ通路Ｐに面するように、該通路Ｐに平行に一列に並んでいる。
【００３１】
なお、図１に示すように、以下の説明では、ユニットルーム連結体１の通路Ｐ側を前側、通路Ｐと逆側を後側、通路Ｐの一端側（図１の左側）を左側、通路Ｐの他端側（図２の右側）を右側と言う。
【００３２】
図１に示すように、本実施形態１では、４つのユニットルーム２，２，２，２は、左側から右側へ一列に並べられて連結され、左側２つが第１ユニットルーム２Ａで構成され、右側２つが第２ユニットルーム２Ｂで構成されている。また、４つのユニットルーム２，２，２，２は、それぞれ隣り合うユニットルーム２，２間で隣接部分に設けられる隔壁（フレーム１０と壁パネル２０）を共有するように連結されている。
【００３３】
〈第１ユニットルームの空間構成〉
図２及び図３に示すように、第１ユニットルーム２Ａは、フレーム１０と、１３枚の壁パネル２０と、２枚の床パネル３０と、４枚の天井パネル４０と、二段ベッド５０とを備え、前面が開口する箱状に形成されている。
【００３４】
図３に示すように、第１ユニットルーム２Ａのフレーム１０は、９本の柱１１，…，１１と、１２本の梁１２，…，１２と、１１本の大引き１３，…，１３と、６本の中段梁（寝台梁）１４，…，１４とで構成されている。９本の柱１１，…，１１は、前後方向（縦方向）及び左右方向（横方向）に３本ずつそれぞれ等間隔に行列状に立設されている。１２本の梁１２，…，１２は、９本の柱１１，…，１１の上端部を格子状に連結するように設けられている。１１本の大引き１３，…，１３は、９本の柱１１，…，１１の下端部を格子状に連結するように設けられている。６本の中段梁１４，…，１４は、９本の柱１１，…，１１のうちの前列の３本の柱１１，１１，１１以外の６本の柱１１，…，１１（中間列の３本と後列の３本）の上下方向の中程を矩形状に連結するように設けられている。
【００３５】
なお、第１ユニットルーム２Ａでは、前列の３本の柱１１，１１，１１以外の後方の６本の柱１１，…，１１は、二段ベッド５０の上段寝台５１と下段寝台５２とを支持する支持柱を兼ねている。この６本の柱１１，…，１１の内側に上段寝台５１と下段寝台５２とが形成されるため、左右方向の中間に設けられる２本の柱１１，１１は、上端部は梁１２で連結されるが、下端部は大引き１３によって連結されていない。
【００３６】
フレーム１０の左側の３本の柱１１，１１，１１と各２本の柱１１，１１を連結する２本の梁１２，１２と２本の大引き１３，１３と１本の中段梁１４とには、該３本の柱１１，１１，１１の間に形成される３つの矩形状の開口部を閉塞するように、３枚の壁パネル２０が固定されている。また、フレーム１０の後列の３本の柱１１，１１，１１と各２本の柱１１，１１を連結する２本の梁１２，１２と２本の大引き１３，１３と２本の中段梁１４，１４とには、該３本の柱１１，１１，１１の間に形成される４つの矩形状の開口部を閉塞するように、４枚の壁パネル２０が固定されている。さらに、フレーム１０の右側の３本の柱１１，１１，１１と各２本の柱１１，１１を連結する２本の梁１２，１２と２本の大引き１３，１３と１本の中段梁１４とには、該３本の柱１１，１１，１１の間に形成される３つの矩形状の開口部を閉塞するように、３枚の壁パネル２０が固定されている。これらの壁パネル２０により、第１ユニットルーム２Ａの左側面と背面と右側面とが構成されている。
【００３７】
また、フレーム１０の前列中央の柱１１と中間列中央の柱１１とこれら２本の柱１１，１１を連結する１本の梁１２と１本の大引き１３とには、該２本の柱１１，１１の間に形成される開口部を閉塞するように、壁パネル２０が固定されている。
【００３８】
さらに、フレーム１０の中間列の３本の柱１１，１１，１１と各２本の柱１１，１１を連結する２本の梁１２，１２と２本の大引き１３，１３と２本の中段梁１４，１４とには、この３本の柱１１，１１，１１の間に形成される４つの矩形状の開口部のうち、左側上方の開口部及び右側下方の開口部を閉塞するように、２枚の壁パネル２０が固定されている。
【００３９】
フレーム１０の前列３本と中間列３本の計６本の柱１１，…，１１の下端部を格子状に連結する７本の大引き１３，…，１３には、該７本の大引き１３，…，１３によって形成される２つの矩形状の開口部を閉塞するように、２枚の床パネル３０が固定されている。
【００４０】
フレーム１０の９本の柱１１，…，１１の上端部を格子状に連結する１２本の梁１２，…，１２には、該１２本の梁１２，…，１２によって形成される４つの矩形状の開口部を閉塞するように、４枚の天井パネル４０が固定されている。
【００４１】
フレーム１０の中間列３本と後列３本の計６本の柱１１，…，１１の下端部を矩形状に連結する６本の大引き１３，…，１３には、該６本の大引き１３，…，１３によって形成される矩形状の開口部を閉塞するように下段寝台５２が固定されている。
【００４２】
６本の中段梁１４，…，１４には、該６本の中段梁１４，…，１４によって形成される矩形状の開口部を閉塞するように上段寝台５１が固定されている。
【００４３】
このような構成により、第１ユニットルーム２Ａは、フレーム１０と１３枚の壁パネル２０と２枚の床パネル３０と４枚の天井パネル４０とによって前面が開口した箱状に形成される。
【００４４】
第１ユニットルーム２Ａの内部の前方の空間は、フレーム１０の前列中央の柱１１と中間列中央の柱１１とに固定された壁パネル２０により、右側の第１室ＳＲ１と左側の第２室ＳＲ２とに仕切られている。第１室ＳＲ１の前面開口は、通路Ｐに面する出入口Ｅ１を構成する。一方、第２室ＳＲ２の前面開口は、通路Ｐに面する出入口Ｅ２を構成する。図示を省略しているが、出入口Ｅ１，Ｅ２には、それぞれ通路Ｐと第１室ＳＲ１及び第２室ＳＲ２を隔てるカーテン等の遮蔽物が設けられている。なお、遮蔽物はカーテンに限られず、ドア等であってもよい。
【００４５】
第１ユニットルーム２Ａの内部の後方の空間は、上段寝台５１により、上方の上段寝室ＢＲ１と下方の下段寝室ＢＲ２とに仕切られている。
【００４６】
上段寝室ＢＲ１は、フレーム１０の中間列の３本の柱１１，１１，１１の間に形成される４つの矩形状の開口部のうちの左側上方の開口部を閉塞する壁パネル２０により、第２室ＳＲ２と遮断されている。一方、下段寝室ＢＲ２は、フレーム１０の中間列の３本の柱１１，１１，１１の間に形成される４つの矩形状の開口部のうちの右側下方の開口部を閉塞する壁パネル２０により、第１室ＳＲ１と遮断されている。なお、上段寝室ＢＲ１と第１室ＳＲ１とは連通し、下段寝室ＢＲ２と第２室ＳＲ２とは連通している。
【００４７】
以上の構成により、第１ユニットルーム２Ａの内部には、それぞれ寝室ＢＲ１，ＢＲ２と居室ＳＲ１，ＳＲ２とを有する２つの個室空間が区画されている。
【００４８】
〈第２ユニットルームの空間構成〉
図４及び図５に示すように、第２ユニットルーム２Ｂは、フレーム１０と、１６枚の壁パネル２０と、２枚の床パネル３０と、６枚の天井パネル４０と、二段ベッド５０とを備え、前面に２つの開口部（出入口Ｅ１，Ｅ２）を有する箱状に形成されている。
【００４９】
フレーム１０は、１２本の柱１１，…，１１と、１７本の梁１２，…，１２と、１４本の大引き１３，…，１３と、６本の中段梁１４，…，１４とで構成されている。１２本の柱１１，…，１１は、前後方向（縦方向）に３本、左右方向（横方向）に４本ずつそれぞれ等間隔に行列状に立設されている。１７本の梁１２，…，１２は、１２本の柱の上端部を格子状に連結するように設けられている。１４本の大引き１３，…，１３は、１２本の柱の下端部を前後方向及び左右方向に連結するように設けられている。なお、１２本の柱のうち中間列の４本の柱１１，…，１１は、上端部は梁１２で連結されるが、下端部は大引き１３によって連結されていない。６本の中段梁１４，…，１４は、１２本の柱１１，…，１１のうちの左右端部の計６本の柱１１，…，１１以外の６本の柱１１，…，１１（左右方向の中程の６本の柱１１，…，１１）の上下方向の中程を矩形状に連結するように設けられている。
【００５０】
なお、第２ユニットルーム２Ｂでは、中段梁１４によって連結される６本の柱１１，…，１１は、二段ベッド５０の上段寝台５１と下段寝台５２とを支持する支持柱を兼ねている。この６本の柱１１，…，１１の内側に上段寝台５１と下段寝台５２とが形成される。
【００５１】
フレーム１０の左側の３本の柱１１，１１，１１と各２本の柱１１，１１を連結する２本の梁１２，１２と２本の大引き１３，１３とには、該３本の柱１１，１１，１１の間に形成される２つの矩形状の開口部を閉塞するように、２枚の壁パネル２０が固定されている。また、フレーム１０の後列の４本の柱１１，…，１１と各２本の柱１１，１１を連結する３本の梁１２，１２，１２と３本の大引き１３，１３，１３と１本の中段梁１４とには、該４本の柱１１，…，１１の間に形成される４つの矩形状の開口部を閉塞するように、４枚の壁パネル２０が固定されている。さらに、フレーム１０の右側の３本の柱１１，１１，１１と各２本の柱１１，１１を連結する２本の梁１２，１２と２本の大引き１３，１３とには、該３本の柱１１，１１，１１の間に形成される２つの矩形状の開口部を閉塞するように、２枚の壁パネル２０が固定されている。これらの壁パネル２０により、第２ユニットルーム２Ｂの左側面と背面と右側面とが構成されている。
【００５２】
また、フレーム１０の前列の左右方向の中程の２本の柱１１，１１とこれら２本の柱１１，１１を連結する各１本の梁１２と大引き１３と中段梁１４とには、該２本の柱１１，１１の間に形成される２つの開口部を閉塞するように、２枚の壁パネル２０が固定されている。この２枚の壁パネル２０により、第２ユニットルーム２Ｂの前面が構成されている。
【００５３】
さらに、フレーム１０の左右方向の左側から２列目の３本の柱１１，１１，１１と各２本の柱１１，１１を連結する各２本の梁１２，１２と大引き１３，１３と中段梁１４，１４とには、この３本の柱１１，１１，１１の間に形成される４つの矩形状の開口部のうち、前側下方の開口部以外の３つの開口部を閉塞するように、３枚の壁パネル２０が固定されている。
【００５４】
一方、フレーム１０の左右方向の左側から３列目の３本の柱１１，１１，１１と各２本の柱１１，１１を連結する各２本の梁１２，１２と大引き１３，１３と中段梁１４，１４とには、この３本の柱１１，１１，１１の間に形成される４つの矩形状の開口部のうち、前側上方の開口部以外の３つの開口部を閉塞するように、３枚の壁パネル２０が固定されている。
【００５５】
フレーム１０の左側の計６本の柱１１，…，１１の下端部を連結する６本の大引き１３，…，１３には、該６本の大引き１３，…，１３によって形成される矩形状の開口部を閉塞するように、床パネル３０が固定されている。同様に、フレーム１０の右側の計６本の柱１１，…，１１の下端部を連結する６本の大引き１３，…，１３には、該６本の大引き１３，…，１３によって形成される矩形状の開口部を閉塞するように、床パネル３０が固定されている。
【００５６】
フレーム１０の１２本の柱１１，…，１１の上端部を格子状に連結する１７本の梁１２，…，１２には、該１２本の梁１２，…，１２によって形成される６つの矩形状の開口部を閉塞するように、６枚の天井パネル４０が固定されている。
【００５７】
フレーム１０の左右方向の左側から２列目と３列目の計６本の柱１１，…，１１の下端部を連結する６本の大引き１３，…，１３には、該６本の大引き１３，…，１３によって形成される矩形状の開口部を閉塞するように下段寝台５２が固定されている。
【００５８】
６本の中段梁１４，…，１４には、該６本の中段梁１４，…，１４によって形成される矩形状の開口部を閉塞するように上段寝台５１が固定されている。
【００５９】
このような構成により、第２ユニットルーム２Ｂは、フレーム１０と１６枚の壁パネル２０と２枚の床パネル３０と６枚の天井パネル４０とによって前面に２つの開口部（出入口Ｅ１，Ｅ２）を有する箱状に形成される。
【００６０】
第２ユニットルーム２Ｂの内部の空間は、上段寝台５１と下段寝台５２とを有する二段ベッド５０と二段ベッド５０の幅方向の両側方に設けられた壁パネル２０により、右側の第１室ＳＲ１と左側の第２室ＳＲ２とに仕切られている。第１室ＳＲ１の前面開口は、通路Ｐに面する出入口Ｅ１を構成する。一方、第２室ＳＲ２の前面開口は、通路Ｐに面する出入口Ｅ２を構成する。図示を省略しているが、出入口Ｅ１，Ｅ２には、それぞれ通路Ｐと第１室ＳＲ１及び第２室ＳＲ２を隔てるカーテン等の遮蔽物が設けられている。なお、遮蔽物はカーテンに限られず、ドア等であってもよい。
【００６１】
第２ユニットルーム２Ｂの内部の左右方向の中程の空間は、上段寝台５１により、上方の上段寝室ＢＲ１と下方の下段寝室ＢＲ２とに仕切られている。
【００６２】
上段寝室ＢＲ１は、フレーム１０の左右方向の左側から２列目の３本の柱１１，１１，１１の間に形成される４つの矩形状の開口部のうちの上方の２つの開口部を閉塞する壁パネル２０により、第２室ＳＲ２と遮断されている。一方、下段寝室ＢＲ２は、フレーム１０の左右方向の左側から３列目の３本の柱１１，１１，１１の間に形成される４つの矩形状の開口部のうちの下方の２つの開口部を閉塞する壁パネル２０により、第１室ＳＲ１と遮断されている。なお、上段寝室ＢＲ１と第１室ＳＲ１とは連通し、下段寝室ＢＲ２と第２室ＳＲ２とは連通している。
【００６３】
以上の構成により、第２ユニットルーム２Ｂの内部には、それぞれ寝室ＢＲ１，ＢＲ２と居室ＳＲ１，ＳＲ２とを有する２つの個室空間が区画されている。
【００６４】
〈各部の詳細構造〉
［フレーム連結体］
上述のように、本実施形態１では、ユニットルーム連結体１は、２つの第１ユニットルーム２Ａ，２Ａと、２つの第２ユニットルーム２Ｂ，２Ｂとが、それぞれ隣り合うユニットルーム２，２間で隣接部分に設けられる隔壁（フレーム１０と壁パネル２０）を共有するように連結されることによって構成されている。そのため、図１３に示すように、４つのユニットルーム２，２，２，２のフレーム１０を連結したフレーム連結体は、３３本の柱１１，…，１１と、５２本の梁１２，…，１２と、４４本の大引き１３，…，１３と、２３本の中段梁１４，…，１４とで構成されている。
【００６５】
各柱１１は、同寸法の木製の角材によって構成されている。各柱１１は、例えば、９０ｍｍ角で高さ２４００ｍｍの角材によって構成されている。各柱１１の下端には、各柱１１の設置高さを調節可能なアジャスタ（高さ調節機構）６０が取り付けられている。
【００６６】
図６に示すように、アジャスタ６０は、雄ネジを有する本体部６１と、該本体部６１の雄ネジと螺号する雌ネジが形成された受座６２とで構成されている。本体部６１は、設置面に当接して荷重を支持する円盤状の部分と該円盤状の部分から上方に突出する雄ネジとで構成されている。受座６２は、柱１１の下端面に取り付けられるドーナツ盤状の部分と該ドーナツ盤状の部分から上方に（柱１１の下端面に形成した孔内に）突出して内周面にネジが形成された雌ネジとで構成されている。柱１１の設置後、アジャスタ６０の本体部６１を正逆回転させることにより、柱１１の設置高さが調節される。
【００６７】
各柱１１は、前後方向及び左右方向にそれぞれ等間隔に立設されている。複数の柱１１，…，１１は、例えば、前後方向には１０６０ｍｍずつ間隔を空けて立設され、左右方向には９１０ｍｍずつ間隔を空けて立設されている。
【００６８】
各梁１２は、柱１１と長さが異なるだけで断面形状及び断面寸法は柱１１と等しい木製の角材によって構成されている。各梁１２の長さは、連結する２本の柱１１，１１の間隔に等しい長さに形成されている。各梁１２は、例えば、９０ｍｍ角で長さ１０６０ｍｍの角材と、９０ｍｍ角で長さ９１０ｍｍの角材とによって構成されている。
【００６９】
各大引き１３は、柱１１と長さが異なるだけで断面形状及び断面寸法は柱１１と等しい木製の角材によって構成されている。各大引き１３の長さは、連結する２本の柱１１，１１の間隔に等しい長さに形成されている。各大引き１３は、例えば、９０ｍｍ角で長さ１０６０ｍｍの角材と、９０ｍｍ角で長さ９１０ｍｍの角材とによって構成されている。
【００７０】
各梁１２及び各大引き１３は、それぞれ柱勝ちとなるように各柱１１に接合されている。つまり、各梁１２は、隣接する２本の柱１１，１１の上に載らず、木口が２本の柱１１，１１の側面に当接するように接合されている。また、各大引き１３は、隣接する２本の柱１１，１１が大引き１３の上に載らず、大引き１３の木口が２本の柱１１，１１の側面に当接するように接合されている。
【００７１】
図７は、梁１２と柱１１の接合構造７０を示している。大引き１３と柱１１も梁１２と柱１１と同様の接合構造７０で接合されているため、以下では、梁１２と柱１１との接合構造７０について詳述し、大引き１３と柱１１との接合構造７０についての説明は省略する。
【００７２】
図７に示すように、梁１２と柱１１とは、連結金具７１と２本の連結ピン７２とを用いて接合される。連結金具７１は、コの字状に形成され、連結ピン７２が嵌る溝７１ａと連結ピン７２が挿通される孔７１ｂとが形成されている。連結金具７１は、柱１１の梁１２が接合される側面にボルト等で固定されている。一方、梁１２には、木口に連結金具７１が嵌る切欠き７３と、２本の連結ピン７２が挿通される２つの貫通孔７４とが形成されている。
【００７３】
図７に示すように、梁１２に形成された貫通孔７４の１つに連結ピン７２を打ち込んだ状態で、連結金具７１が切欠き７３に差し込まれるように梁１２を連結金具７１に向かって押し込む。梁１２は、先に打ち込まれた連結ピン７２が連結金具７１の溝７１ａに嵌まり込むことによって所定の接合位置で止まる。この接合位置では、梁１２の貫通孔７４と連結金具７１の孔７１ｂの位置が一致する。接合位置に配置された梁１２に対し、残りの連結ピン７２をもう１つの貫通孔７４に打ち込むと、連結ピン７２は、貫通孔７４内において連結金具７１の孔７１ｂにも挿通される。つまり、梁１２内において連結金具７１と２本の連結ピン７２とが係合することにより、梁１２がしっかりと柱１１に接合される。
【００７４】
以上のような接合構造７０により、梁１２及び大引き１３は、それぞれ柱勝ちとなるように柱１１に接合される。なお、連結金具７１と２本の連結ピン７２とを用いた上述の接合構造７０は、梁１２及び大引き１３を柱勝ちとなるように柱１１に接合する接合構造の一例に過ぎず、上述の接合構造以外の手法で梁１２及び大引き１３を柱１１に接合しても勿論よい。例えば、大入れ継ぎ等の仕口によって接合してもよいが、施工性の観点からは、金具を用いて２本の柱１１，１１間に挿入しながら接合できるものが好ましい。また、接合強度に問題がなければ、連結金具７１と２本の連結ピン７２以外の金具を用いて梁１２及び大引き１３を柱１１に接合してもよい。
【００７５】
中段梁１４は、梁１２及び大引き１３と同様の接合構造７０で柱１１に接合されている。つまり、柱１１の上下方向の中程の中段梁１４が接合される側面には、ボルトで連結金具７１が固定され、中段梁１４の木口には切欠き７３と２つの貫通孔７４とが形成されている。そして、梁１２及び大引き１３と同様に、中段梁１４に形成された貫通孔７４の１つに連結ピン７２を打ち込んだ状態で、連結金具７１が切欠き７３に差し込まれるように中段梁１４を連結金具７１に向かって押し込み、残りの連結ピン７２をもう１つの貫通孔７４に打ち込むと、中段梁１４内において連結金具７１と２本の連結ピン７２とが係合することにより、中段梁１４がしっかりと柱１１に接合される。このような接合構造７０により、中段梁１４は、柱１１にしっかりと接合される。
【００７６】
［壁パネル］
図８及び図９に示すように、壁パネル２０は、支持部材２１と２枚の第１及び第２側板２２，２３とで構成され、隣接する２本の柱１１，１１の間において真壁を構成するように、各柱１１の幅以下の厚さに構成されている。例えば、壁パネル２０は、９０ｍｍ角の柱１１の幅以下の厚さ６７ｍｍとなるように構成されている。
【００７７】
図９に示すように、支持部材２１は、矩形状の枠材２４と桟部材２５とで構成されている。枠材２４は、２本の縦材２４ａ，２４ａと、該２本の縦材２４ａ，２４ａの上端部と下端部とを連結する２本の横材２４ｂ，２４ｂとを矩形状に連結することによって構成されている。桟部材２５は、２本の縦材２４ａ，２４ａに平行に延び、矩形状の枠材２４の２本の横材２４ｂ，２４ｂの中程を連結している。
【００７８】
枠材２４の縦材２４ａ，２４ａと枠材２４の横材２４ｂ，２４ｂと桟部材２５とは、互いに長さが異なるだけで断面形状及び断面寸法が等しい木製の角材によって構成されている。枠材２４の縦材２４ａ，２４ａと枠材２４の横材２４ｂ，２４ｂと桟部材２５の長さは、壁パネル２０によって閉塞される開口部の寸法に合わせた長さに形成されている。縦材２４ａ，２４ａ及び横材２４ｂ，２４ｂは、例えば、３０×４５ｍｍ角の角材によって構成されている。
【００７９】
支持部材２１は、枠材２４が、壁パネル２０が取り付けられる開口部の周囲の枠状部材（２本の柱１１，１１と梁１２と大引き１３、２本の柱１１，１１と梁１２と中段梁１４、又は２本の柱１１，１１と中段梁１４と大引き１３）の内側面に当接した状態で、枠材２４の内側から枠状部材に向かって打ち込まれた複数のビス２６，…，２６によって枠状部材の内側面に固定されている。なお、枠材２４を枠状部材に固定する締結具は、複数のビス２６，…，２６の他、ボルト等、耐荷重が担保できる金具（締結具）を用いることが可能である。
【００８０】
第１及び第２側板２２，２３は、互いに等しい寸法の板部材によって形成されている。例えば、第１及び第２側板２２，２３は、１２ｍｍ厚の板状部材の一方の面にクロスを接着した化粧材によって構成されている。第１及び第２側板２２，２３は、壁パネル２０によって閉塞される開口部の寸法に合わせた寸法に形成されている。第１及び第２側板２２，２３は、支持部材２１の一方側の側面と他方側の側面とにそれぞれ固定される。第１及び第２側板２２，２３は、クロスが接着された化粧面の裏面を支持部材２１にそれぞれ当接させた状態で、該支持部材２１に固定される。なお、第１及び第２側板２２，２３は、クロスを接着した化粧材の他、突板やシートを接着した化粧材、無機化粧材、木質素板等によって構成されていてもよい。
【００８１】
詳細については後述するが、壁パネル２０の施工の際には、予め第１側板２２をビスで固定した支持部材２１を、壁パネル２０を取り付けるフレーム１０の開口部の周囲の枠状部材の内側面にビスで固定した後、支持部材２１に第２側板２３をビスで固定する。このような施工方法により、壁パネル２０は、隣接する２本の柱１１，１１の間において真壁を構成するように施工される。なお、第１側板２２及び第２側板２３を支持部材２１に固定する締結具は、ビスの他、ボルト等、耐荷重が担保できる金具（締結具）を用いることが可能である。
【００８２】
［床］
図６に示すように、床パネル３０は、床下地材３１と化粧材３２とで構成されている。床下地材３１は、構造用合板等によって構成されている。化粧材３２は、基材にシートや突き板で化粧が施された床板材や置き畳等を用いることができる。床パネル３０は、該床パネル３０を取り付ける矩形状の開口部を形成する４〜６本の大引き１３，…，１３の内側面に取り付けられている。具体的には、矩形枠状に連結された大引き１３の内側面には、木製の角材からなる根太３３がビス等で固定されている。この根太３３の上に床下地材３１を載置してビスで固定し、さらに、床下地材３１の上に化粧材３２を載置してビスで固定することにより、床パネル３０が施工される。なお、根太３３を大引き１３に固定する締結具、床下地材３１を根太３３に固定する締結具、及び化粧材３２を床下地材３１に固定する締結具は、ビスの他、ボルト等、耐荷重が担保できる金具（締結具）を用いることが可能である。
【００８３】
ところで、ユニットルーム連結体１の外周部に配置される各大引き１３の内側面に固定された根太３３には、板状部材３４が固定されている。板状部材３４は、各柱１１の下端に取り付けたアジャスタ６０によってユニットルーム連結体１の外周部に設けられた柱１１及び大引き１３と設置面との間に生じる隙間を閉塞可能な大きさに形成されている。
【００８４】
本実施形態１では、板状部材３４は、全体又は下端部がゴム等の弾性材で形成された気密幅木によって構成されている。このような気密幅木で板状部材３４を構成することにより、アジャスタ６０で柱１１の設置高さを変更しても、柱１１及び大引き１３と設置面との間に生じる隙間が常に板状部材３４によって閉塞される。具体的には、柱１１の設置高さを下げると、板状部材３４の下端が設置面に押し付けられ、弾性材で形成された板状部材３４の全体又は下端部が収縮する。一方、柱１１の設置高さを上げると、板状部材３４の下端が設置面に押し付けられる力が弱まり、弾性材で形成された板状部材３４の全体又は下端部が伸長する。アジャスタ６０の本体部６１を受座６２から最大限離した際（アジャスタ６０を最大限延ばした際）に、板状部材３４の下端が設置面から離れない高さ位置に板状部材３４を取り付けることにより、アジャスタ６０で柱１１の設置高さを変更しても、柱１１及び大引き１３と設置面との間に生じる隙間が常に板状部材３４によって閉塞されることとなる。
【００８５】
なお、板状部材３４は、上述の気密幅木に限られず、単なる平板状の板状部材で構成されてもよく、また、断面Ｌ字形状の折り曲げられた板状片によって構成されていてもよい。さらに、板状部材３４は、上記隙間を閉塞する板状部分を有していればよく、下端部や内側面に板状でない部材が固定されたものであってもよい。
【００８６】
以上のような板状部材３４をユニットルーム連結体１の外周部に設けることにより、アジャスタ６０を設けることでユニットルーム連結体１の下端面と設置面との間に生じる隙間（柱１１及び大引き１３と設置面との間に生じる隙間）が閉塞され、ユニットルーム連結体１の下端面と設置面との間に物が入り込むのが防止される。
【００８７】
なお、板状部材３４は、必ずしもユニットルーム連結体１の外周部全体に設けられていなくてもよく、少なくとも一辺に設けられていればよい。例えば、ユニットルーム連結体１（ユニットルーム２単体）を少なくとも一側面が壁に当接するように設置する場合、ユニットルーム連結体１（ユニットルーム２単体）の外周部のうち壁に当接する側面に対応する部分に生じる隙間からは、ユニットルーム連結体１（ユニットルーム２単体）の下端面と設置面との間に物が入り込むおそれがない。よって、このような箇所には板状部材３４を設ける必要がない。そのため、板状部材３４は、ユニットルーム連結体１（ユニットルーム２単体）の外周部のうちのユニットルーム連結体１の下端面と設置面との間に生じる隙間（柱１１及び大引き１３と設置面との間に生じる隙間）が壁等によって閉塞されず、開口している部分のみに取り付けることとしてもよい。
【００８８】
［天井］
本実施形態１では、天井パネル４０は、壁パネル２０と同様に構成されている。図示を省略するが、天井パネル４０は、壁パネル２０の支持部材２１と同様の支持部材と、壁パネル２０の第１及び第２側板２２，２３と同様の上板及び下板で構成されている。そして、天井パネル４０の施工の際には、予め下板を下面にビスで固定した支持部材を、天井パネル４０を取り付ける矩形状の開口部を形成する４本の梁１２，…，１２の内側面にビスで固定した後、支持部材に上板をビスで取り付ける。このような施工方法により、天井パネル４０が施工される。なお、上板及び下板を支持部材に固定する締結具、及び支持部材を梁１２に固定する締結具は、ビスの他、ボルト等、耐荷重が担保できる金具（締結具）を用いることが可能である。
【００８９】
なお、天井パネル４０は、上述の構成に限られず、ルーバー等で構成してもよい。また、天井パネル４０は、必ずしも設けられていなくてもよい。さらに、天井パネル４０は、一枚の板部材によって構成され、柱１１及び梁１２の上面に固定されるものであってもよい。
【００９０】
［二段ベッド］
二段ベッド５０は、６本の中段梁１４，…，１４で矩形状に連結された６本の柱１１，…，１１と、６本の中段梁１４，…，１４と、上段寝台５１と、下段寝台５２とで構成されている。６本の柱１１，…，１１と６本の中段梁１４，…，１４は、フレーム１０の構成要素であり、フレーム１０と二段ベッド５０で兼用される。
【００９１】
図１０及び図１１に示すように、上段寝台５１は、支持部材５３と上板５４と下板５５とで構成され、６本の中段梁１４，…，１４の内側面に固定されている。
【００９２】
図１１に示すように、支持部材５３は、矩形状の枠材５６と複数の（本実施形態では４本）桟部材５７とで構成されている。枠材５６は、２本の縦材５６ａ，５６ａと、２本の縦材５６ａ，５６ａの一端部と他端部とを連結する２本の横材５６ｂ，５６ｂとを矩形状に連結することによって構成されている。複数の桟部材５７は、２本の横材５６ｂ，５６ｂに平行に延び、矩形状の枠材５６の２本の横材５６ｂ，５６ｂの間に略等間隔に配置され、それぞれ２本の縦材５６ａ，５６ａを連結している。
【００９３】
枠材５６の縦材５６ａ，５６ａと枠材５６の横材５６ｂ，５６ｂと桟部材５７とは、互いに長さが異なるだけで断面形状及び断面寸法が等しい木製の角材によって構成されている。枠材５６の縦材５６ａ，５６ａと枠材５６の横材５６ｂ，５６ｂと桟部材５７の長さは、上段寝台５１を取り付ける６本の中段梁１４，…，１４によって形成される矩形状の開口部の寸法に合わせた長さに形成されている。縦材５６ａ，５６ａ及び横材５６ｂ，５６ｂは、例えば、３０×４５ｍｍ角の角材によって構成されている。
【００９４】
支持部材５３は、上段寝台５１を取り付ける６本の中段梁１４，…，１４の内側面に当接した状態で、枠材５６の内側から矩形枠状に連結された中段梁１４に向かって打ち込まれた複数のビス７７，…，７７により、上記各中段梁１４の内側面に固定されている。なお、枠材５６を中段梁１４に固定する締結具は、複数のビス７７，…，７７の他、ボルト等、耐荷重が担保できる金具（締結具）を用いることが可能である。
【００９５】
上板５４と下板５５は、互いに等しい寸法で互いに厚みが異なる板部材によって形成されている。上板５４及び下板５５は、上段寝台５１によって閉塞される６本の中段梁１４，…，１４の内側の開口部の寸法に合わせた寸法に形成されている。上板５４は、例えば、２４ｍｍ厚の板状部材の一方の面にクッションフロア等を接着した化粧材によって構成されている。一方、下板５５は、例えば、１２ｍｍ厚の板状部材の一方の面にクロスを接着した化粧材によって構成されている。
【００９６】
上板５４と下板５５は、支持部材５３の上面と下面とにそれぞれビスで固定される。上板５４は、クッションフロアが接着された化粧面の裏面を支持部材５３の上面に当接させた状態で、該支持部材５３に固定される。下板５５は、クロスが接着された化粧面の裏面を支持部材５３に当接させた状態で、該支持部材５３に固定される。なお、上板５４と下板５５を支持部材５３に固定する締結具は、ビスの他、ボルト等、耐荷重が担保できる金具（締結具）を用いることが可能である。
【００９７】
詳細については後述するが、上段寝台５１の施工の際には、予め下板５５を固定した支持部材５３を、上段寝台５１を取り付ける６本の中段梁１４，…，１４の内側面に固定した後、支持部材５３に上板５４を取り付ける。このような施工方法により、上段寝台５１は、６本の中段梁１４，…，１４の内側に施工される。
【００９８】
一方、図１２に示すように、下段寝台５２は、寝台板５８で構成されている。本実施形態１では、寝台板５８は、上板５４と同様に形成されている。つまり、寝台板５８は、例えば、２４ｍｍ厚の板状部材の一方の面にクッションフロア等を接着した化粧材によって構成されている。
【００９９】
下段寝台５２は、６本の中段梁１４，…，１４の下方で６本の柱１１，…，１１を矩形状に連結する６本の大引き１３，…，１３の内側面に固定されている。具体的には、矩形枠状に連結された大引き１３の内側面には、木製の角材からなる根太５９がビス等で固定されている。この根太５９の上に寝台板５８を載置して固定することにより、下段寝台５２が施工される。なお、根太５９を大引き１３に固定する締結具は、ビスの他、ボルト等、耐荷重が担保できる金具（締結具）を用いることが可能である。
【０１００】
なお、床パネル３０が固定される根太３３（図６参照）と同様に、ユニットルーム連結体１の外周部に配置される各大引き１３の内側面に固定された根太５９には、板状部材３４が固定される。根太３３に固定する場合と同様に、板状部材３４は、ユニットルーム連結体１（ユニットルーム２単体）の外周部のうちのユニットルーム連結体１の下端面と設置面との間に生じる隙間（柱１１及び大引き１３と設置面との間に生じる隙間）が壁等によって閉塞されず、開口している部分のみに取り付けることとしてもよい。
【０１０１】
図２及び図４に示すように、二段ベッド５０には、第１室ＳＲ１から上段寝台５１にアクセスするための梯子ｌが設けられている。また、上段寝台５１及び下段寝台５２には、マットレスｍがそれぞれ載置されている。なお、本実施形態１では設けていないが、上段寝台５１に転落防止用の柵や手摺りを設けることとしてもよい。
【０１０２】
−ユニットルーム連結体の施工方法−
次に、ユニットルーム連結体１の施工方法について説明する。
【０１０３】
（１）フレーム連結体の施工
まず、図１３に示すように、４つのユニットルーム２，２，２，２のフレーム１０を連結したフレーム連結体を施工する。
【０１０４】
なお、フレーム連結体の施工前に、各柱１１にアジャスタ６０と連結金具７１とを取り付けておく。また、接合構造７０で柱１１に接合される梁１２、大引き１３及び中段梁１４の木口に連結金具７１が嵌る切欠き７３と、２本の連結ピン７２が挿通される２つの貫通孔７４とを形成しておく。このアジャスタ６０及び連結金具７１の取り付けと、切欠き７３及び貫通孔７４の加工とは、出荷前に工場で行うこととしてもよい。
【０１０５】
そして、逐次、隣接する２本の柱１１，１１の上端部を梁１２で連結し、下端部を大引き１３で連結し、上下方向の中程の部分を中段梁１４で連結することにより、フレーム連結体を施工する。
【０１０６】
具体的には、図７に示すように、梁１２（大引き１３と中段梁１４も同様）は、貫通孔７４の１つに連結ピン７２を打ち込んだ状態で、連結金具７１が切欠き７３に差し込まれるように梁１２を連結金具７１に向かって押し込む。梁１２は、先に打ち込まれた連結ピン７２が連結金具７１の溝７１ａに嵌まり込むことによって所定の接合位置で止まる。この接合位置では、梁１２の貫通孔７４と連結金具７１の孔７１ｂの位置が一致する。接合位置に配置された梁１２に対し、残りの連結ピン７２をもう１つの貫通孔７４に打ち込むと、連結ピン７２は、貫通孔７４内において連結金具７１の孔７１ｂにも挿通される。つまり、梁１２内において連結金具７１と２本の連結ピン７２とが係合することにより、梁１２がしっかりと柱１１に接合される。
【０１０７】
以上のような手順により、図１３に示すように、３３本の柱１１，…，１１に、５２本の梁１２，…，１２と４４本の大引き１３，…，１３がそれぞれ柱勝ちとなるように接合され、さらに２３本の中段梁１４，…，１４が接合されることにより、フレーム連結体が施工される。
【０１０８】
なお、中段梁１４の柱１１への接合は、後述する上段寝台５１の施工前に行ってもよい。
【０１０９】
また、フレーム連結体の施工の際、柱１１と梁１２と大引き１３と中段梁１４とが垂直に接合されているかを確認すると共に、各柱１１に取り付けたアジャスタ６０で各柱１１の設置高さを調節して、梁１２や大引き１３の長手方向が水平方向に一致するようにレベル調整（水平出し）を行う。このようなレベル調整により、ユニットルーム連結体１の設置面に段差や傾斜等の不陸があっても、アジャスタ６０でレベル調整を行うことにより、ユニットルーム連結体１が傾くことなく施工される。なお、柱１１と梁１２と大引き１３と中段梁１４とで形成される矩形の枠状部材が歪んで平行四辺形状になっている場合に、その歪みを調整する歪み調整もレベル調整と同時に行う。
【０１１０】
レベル調整（水平出し）及び歪み調整は、１ユニット毎に行うのが好ましい。具体的には、１つのユニットルーム２のフレーム１０を組み立てたところでレベル調整及び歪み調整を行い、調整後のフレーム１０に隣接するユニットルーム２のフレーム１０を組み立てる。そして、またレベル調整及び歪み調整を行う。この作業を繰り返しながらフレーム連結体を施工するのが好ましい。なお、レベル調整（水平出し）及び歪み調整は、１ユニット毎に行うのに限られない。柱１列分ずつ行ってもよく、２ユニット以上毎に行っても勿論よい。
【０１１１】
（２）床パネル及び下段寝台の施工
レベル調整の後、図１４に示すように、床パネル３０と下段寝台５２とを同時に施工する。まず、大引き１３に根太３３，５９をビスで固定する。図６及び図１２に示すように、床パネル３０用の根太３３は、下段寝台５２の根太５９よりも化粧材３２の厚み分だけ下方にずらして固定する。なお、床パネル３０を下段寝台５２の寝台板５８と同様の構成とする場合、床パネル３０用の根太３３を下段寝台５２の根太５９よりも下方にずらす必要はなく、下段寝台５２の根太５９と同じ高さに固定すればよい。
【０１１２】
なお、ユニットルーム連結体１の外周部に位置する大引き１３には根太３３，５９の内側面に板状部材３４を取り付ける。板状部材３４は、大引き１３を跨ぐ部分には予め切欠きを形成し、大引き１３の下方も閉塞されるようにする。
【０１１３】
図６に示すように、床パネル３０は、根太３３の上に床下地材３１を載置してビスで固定し、さらに、床下地材３１の上に化粧材３２を載置してビスで固定することによって施工される。一方、図１２に示すように、下段寝台５２は、根太５９の上に寝台板５８を載置してビスで固定することによって施工される。
【０１１４】
床パネル３０及び下段寝台５２は、以上のようにして施工される。
【０１１５】
（３）上段寝台の施工
床パネル３０と下段寝台５２の施工後、図１４に示すように、上段寝台５１を施工する。
【０１１６】
まず、支持部材５３に下板５５をビスで固定する。そして、下板５５が固定された支持部材５３を６本の中段梁１４，…，１４の内側面に取り付ける。具体的には、支持部材５３の枠材５６が各中段梁１４の内側面に当接するように支持部材５３を配置し、枠材５６の内側から各中段梁１４に向かってビス７７を打ち込むことにより、支持部材５３を中段梁１４に固定する。その後、支持部材５３の上に上板５４を載せ、上板５４の上方から支持部材５３に向かってビスを打ち込むことにより、上板５４を支持部材５３に固定する。
【０１１７】
上段寝台５１は、以上のようにして施工される。
【０１１８】
なお、上板５４は、接着剤で支持部材５３に固定することとしてもよい。
【０１１９】
（４）壁パネルの施工
上段寝台５１の施工後、図１５に示すように、壁パネル２０を施工する。
【０１２０】
まず、支持部材２１に第１側板２２をビスで固定する。そして、第１側板２２が固定された支持部材２１を壁パネル２０が取り付けられる開口部の周囲の枠状部材（２本の柱１１，１１と梁１２と大引き１３、２本の柱１１，１１と梁１２と中段梁１４、又は２本の柱１１，１１と中段梁１４と大引き１３）の内側面に取り付ける。具体的には、支持部材２１の枠材２４が、壁パネル２０が取り付けられる開口部の周囲の枠状部材の内側面に当接するように支持部材２１を配置し、枠材２４の内側から枠状部材に向かってビス２６を打ち込むことにより、支持部材２１を枠状部材に固定する。その後、支持部材２１の第１側板２２とは逆側の側面に第２側板２３を当接させ、第２側板２３側から支持部材２１に向かってビスを打ち込むことにより、第２側板２３を支持部材２１に固定する。
【０１２１】
壁パネル２０は、以上のようにして施工される。
【０１２２】
（５）天井パネルの施工
壁パネル２０の施工後、天井パネル４０を施工する。
【０１２３】
まず、天井パネル４０の支持部材に下板をビスで固定する。そして、下板が固定された支持部材を天井パネル４０が取り付けられる開口部の周囲の４本の梁１２，…，１２の内側面に取り付ける。具体的には、支持部材の枠材が、天井パネル４０が取り付けられる開口部の周囲の４本の梁１２，…，１２の内側面に当接するように支持部材を配置し、枠材の内側から枠状部材に向かってビスを打ち込むことにより、支持部材を４本の梁１２，…，１２に固定する。その後、支持部材の上面に上板を当接させ、上板の上方から支持部材に向かってビスを打ち込むことにより、上板を支持部材に固定する。
【０１２４】
天井パネル４０は、以上のようにして施工される。
【０１２５】
以上の手順により、内部に８室の個室空間が区画されたユニットルーム連結体１が施工される。
【０１２６】
−実施形態１の効果−
上記実施形態１によれば、縦方向及び横方向に３本以上ずつ行列状に立設した複数の木製の柱１１，…，１１と、該複数の柱を連結する複数の木製の梁１２，…，１２及び大引き１３，…，１３とで構成されたフレーム１０と、複数の壁パネル２０，…，２０と、複数の床パネル３０，…，３０とにより、内部に少なくとも１つの個室空間を形成する箱状のユニットルーム２を形成することとしている。このようにユニットルーム２を、木製部材を軸組工法で組み立てたフレーム１０に壁パネル２０と床パネル３０を取り付けた構成とすることにより、施工現場で壁パネル２０の位置を変更する等してユニットルーム２の内部の空間構成を容易に変更することができる。また、木製部材でフレーム１０を構成することにより、設置スペースに合わせて容易に個室空間の寸法を変更することができる。
【０１２７】
また、本実施形態１では、各壁パネル２０を隣接する２本の柱１１，１１の間において真壁を構成するように各柱１１の幅よりも薄く形成することとした。このような構成によれば、ユニットルーム２を容易に増設することができる。また、上記構成によれば、複数のユニットルーム２，…，２を並べる際には、隣接する２つのユニットルーム２，２間で隣接部分に設けられるフレーム１０と壁パネル２０とを共有させながら構造的にもスペース的にも無駄なく連結することができる。
【０１２８】
以上により、本実施形態１によれば、施工現場で内部の空間構成を容易に変更でき、無駄なく複数連結可能なユニットルーム２を提供することができる。
【０１２９】
また、本実施形態１では、ユニットルーム２のフレーム１０を柱勝ちとなるように構成することとしている。このような構成により、複数のユニットルーム２，…，２を連結する際に、柱１１に梁１２及び大引き１３を接合すればよく、施工が容易になる。
【０１３０】
また、本実施形態１では、壁パネル２０を、支持部材２１とその両側面に固定された第１及び第２側板２２,２３とを備えた所謂フラッシュ構造に構成している。そのため、壁パネル２０を隣接する２本の柱１１，１１の間において真壁を構成するように容易に施工することができる。
【０１３１】
また、本実施形態１では、ユニットルーム２のフレーム１０を構成する複数の柱１１，…，１１のうちの６本の柱１１，…，１１を用いて、ユニットルーム２の内部に上段寝台５１と下段寝台５２とを備えた二段ベッド５０が形成されている。このようにフレーム１０を構成する柱１１を用いて二段ベッド５０を内部に形成することにより、ユニットルーム２内に寝室ＢＲ１，ＢＲ２をコンパクトに且つ容易に形成することができる。また、上記構成によれば、ユニットルーム２内における二段ベッド５０の設置位置を変更することにより、ユニットルーム２の内部の空間構成を容易に変更することができる。
【０１３２】
また、本実施形態１では、複数の壁パネル２０と二段ベッド５０により、ユニットルーム２の内部に、第１室ＳＲ１と上段寝室ＢＲ１とからなる個室空間と、第２室ＳＲ２と下段寝室ＢＲ２とからなる個室空間とが形成されている。このように内部に二段ベッド５０と複数の壁パネル２０,…,２０を設けるだけで、ユニットルーム２の内部に容易に居室ＳＲ１，ＳＲ２と寝室ＢＲ１，ＢＲ２とからなる２つの個室空間を形成することができる。
【０１３３】
また、本実施形態１では、３行３列の行列状に立設された９本の本の柱１１，…，１１を有するフレーム１０を備えた第１ユニットルーム２Ａの内部の半分の領域に二段ベッド５０を設置し、残りの半分の領域が互いに隔てられた第１室ＳＲ１及び第２室ＳＲ２に区画されている。上記構成によれば、寝室ＢＲ１，ＢＲ２だけでなく居室ＳＲ１，ＳＲ２を有する快適な２つの個室空間をコンパクトに形成することができる。
【０１３４】
また、本実施形態１では、３行４列の行列状に立設された１２本の柱１１，…，１１を有するフレーム１０を備えた第２ユニットルーム２Ｂの内部中央の３分の１の領域に二段ベッド５０を設置し、二段ベッド５０の幅方向の両側に、上段寝室ＢＲ１と下段寝室ＢＲ２のそれぞれに繋がる居室（第１室ＳＲ１と第２室ＳＲ２）が区画されている。上記構成によれば、寝室ＢＲ１，ＢＲ２だけでなく居室ＳＲ１，ＳＲ２を有する快適な２つの個室空間をコンパクトに形成することができる。また、二段ベッド５０の両側に２つの個室空間の居室ＳＲ１，ＳＲ２を配置することにより、２つの個室空間の出入口Ｅ１，Ｅ２を離して設けることができる。そのため、二段ベッド５０を利用する人どうしのプライバシーを確保することができる。
【０１３５】
また、本実施形態１では、ユニットルーム連結体１は、複数のユニットルーム２，…，２を所定の方向に並べ、隣接する２つのユニットルーム２，２間で隣接部分に設けられるフレーム１０と壁パネル２０とを共有させるように連結することによって構成されている。ユニットルーム連結体１は、木製部材を軸組工法で組み立てたフレーム１０に壁パネル２０と床パネル３０を取り付けたユニットルーム２，…，２を複数連結することによって構成されているため、壁パネル２０の位置を変更する等して施工現場で容易に内部の空間構成を変更することができる。また、上記構成によれば、各ユニットルーム２において、各壁パネル２０が隣接する２本の柱１１，１１の間において真壁を構成するように設けられているため、複数のユニットルーム２，…，２を隣接部分のフレーム１０と壁パネル２０とを共有させながら無駄なく連結してコンパクトにユニットルーム連結体１を構成することができる。
【０１３６】
《その他の実施形態》
上記実施形態１では、複数のユニットルーム２，…，２が連結されたユニットルーム連結体１に本発明を適用した例について説明したが、本発明は、ユニットルーム２単体に適用しても勿論よい。
【０１３７】
また、上記実施形態１では、ユニットルーム連結体１を、４つのユニットルーム２，２，２，２を連結して構成していたが、連結するユニットルーム２の個数はこれに限られない。
【０１３８】
また、上記実施形態１のユニットルーム連結体１では、複数のユニットルーム２，…，２を一列に配列して連結していたが、複数のユニットルーム２，…，２は、Ｌ字に配列して連結してもよく、背中合わせに２列に配列してもよい。背中合わせに２列に配列する場合、背中合わせに隣接する２つのユニットルーム２，２間においても隣接部分に設けられる隔壁（フレーム１０と壁パネル２０）を共有するように連結することができる。
【０１３９】
また、上記実施形態１では、ユニットルーム連結体１を、２種類のユニットルーム２Ａ，２Ｂで構成していたが、ユニットルーム連結体１はこれに限られない。ユニットルーム連結体１は、例えば、複数の第１ユニットルーム２Ａ，…，２Ａのみを連結して構成されるものであってもよく、複数の第２ユニットルーム２Ｂ，…，２Ｂのみを連結して構成されるものであってもよい。さらに、ユニットルーム連結体１は、上記第１及び第２ユニットルーム２Ａ，２Ｂ以外のユニットルーム２が連結されるものであってもよい。例えば、ユニットルーム連結体１は、内部に個室空間が１つだけ又は３つ以上形成されたユニットルーム２が連結されたものであってもよく、内部に二段ベッド５０が設けられず、フレーム１０が中段梁１４を有しないユニットルーム２が連結されたものであってもよい。
【０１４０】
また、上記実施形態１では、第１ユニットルーム２Ａ及び第２ユニットルーム２Ｂは、２つの個室空間の出入口Ｅ１，Ｅ２が同じ側面に開口していたが、２つの個室空間の出入口Ｅ１，Ｅ２を逆側の側面に開口させてもよい。
【０１４１】
また、上記実施形態１では、各ユニットルーム２において、複数の柱１１，…，１１は、前後方向（縦方向）及び左右方向（横方向）にそれぞれ等間隔に行列状に立設されていたが、行列状に立設されていれば等間隔でなくてもよい。ユニットルーム２の施工場所の広さに応じて複数の柱１１，…，１１の間隔を変えてもよい。例えば、第２ユニットルーム２Ｂの左右方向に並ぶ４本の柱１１，…，１１の間隔を変え、第１室ＳＲ１及び第２室ＳＲ２の幅が、上段寝室ＢＲ１及び下段寝室ＢＲ２の幅よりも広くなるように構成してもよい。また、施工現場でスペースが僅かに足りない場合には、逆に、いずれかの室を狭く形成する変更も容易にできる。
【０１４２】
また、上記実施形態１では、第１ユニットルーム２Ａは、３×３本の柱１１，…，１１を有するように構成され、第２ユニットルーム２Ｂは、３×４本の柱１１，…，１１を有するように構成されていたが、本発明に係るユニットルーム２は、これに限られない。ユニットルーム２は、例えば、３×５本の柱１１，…，１１を有するように構成されてもよく、４×５本の柱１１，…，１１を有するように構成されてもよい。
【０１４３】
また、上記実施形態１では、各梁１２及び各大引き１３は、それぞれ柱勝ちとなるように各柱１１に接合されていたが、各梁１２及び各大引き１３は、それぞれ柱勝ちとなるように各柱１１に接合されていなくてもよい。
【産業上の利用可能性】
【０１４４】
本発明は、ユニットルーム及びユニットルーム連結体に有用である。
【符号の説明】
【０１４５】
１      ユニットルーム連結体
２      ユニットルーム
２Ａ    第１ユニットルーム
２Ｂ    第２ユニットルーム 
１０      フレーム
１１      柱
１２      梁
１３      大引き
１４      中段梁
２０      壁パネル
２１      支持部材
２２      第１側板
２２      第２側板
２４      枠材
２６      ビス（締結具）
３０      床パネル
５０      二段ベッド
５１      上段寝台
５２      下段寝台
ＢＲ１      上段寝室
ＢＲ２      下段寝室
ＳＲ１      第１室
ＳＲ２      第２室
【図１】
2020165227.tif 000003
【図２】
2020165227.tif 000004
【図３】
2020165227.tif 000005
【図４】
2020165227.tif 000006
【図５】
2020165227.tif 000007
【図６】
2020165227.tif 000008
【図７】
2020165227.tif 000009
【図８】
2020165227.tif 000010
【図９】
2020165227.tif 000011
【図１０】
2020165227.tif 000012
【図１１】
2020165227.tif 000013
【図１２】
2020165227.tif 000014
【図１３】
2020165227.tif 000015
【図１４】
2020165227.tif 000016
【図１５】
2020165227.tif 000017